(57)【要約】      （修正有）【課題】多くの就寝体位において、背骨を最も自然に近い形状、即ち立っている姿勢と同じか出来るだけ近い形状に維持することが出来、それによって充分な睡眠をとることが出来る腰部に適用する枕を提供する。【解決手段】底面の平面形状が、上辺が中央が尖った左右対称の山形であり、下辺が鋸歯状３に形成され、その底面より上側に山形に隆起してその稜線２・２’は台形状であり、全体が低反発弾性フォームで形成して人の腰部当用枕１とする。【選択図】図１
0003154029.tif 000002
【実用新案登録請求の範囲】
【請求項１】
平らな横長の底面の平面形状が、上辺が中央が尖った左右対称の山形であり、下辺が横方向にほぼ４等分した間隔で凸凹凸凹凸と鋭角に切り込みの入る鋸歯状に形成され、その底面より上側に山形に隆起してその稜線は下辺の切り込みの凹み部に対応した位置で曲折して左右の稜線は中央部の稜線に対してそれぞれ下方向に鈍角に下がった台形状であり、全体が低反発弾性フォームで形成されている人の腰部当用枕。
成されている人の腰部当用枕。
【請求項２】
横方向の長さが上下方向の中央部の幅の１．５から２．５倍であり、中央部の厚さが上下方向の中央部の長さの３５％から４５％である請求書１の人の腰部当用枕。
【請求項３】
上下方向の中央部の幅が２５ｃｍから４０ｃｍである請求項１の人の腰部当用枕。
【考案の詳細な説明】
【技術分野】
【０００１】    本考案は人の腰部に適用する所謂腰枕に関する。【０００２】  人体の腰部は二足歩行をする人間にとって極めて物理的に或いは重量的に大きな負担がかかる部分であり、腰部に故障が生じる可能性が高い。
そのため、人にとって腰部を庇うことが健全な人体的機能を維持し、健康を維持するための重要な要素となる。腰部を庇うことは人が歩行するときだけでなく人が休眠するときにも配慮が必要となり、実際に人類の歴史上古くから配慮がなされ、特に近来においては大きな関心事として腰部に掛かった負担を人が休眠するときにも何らかの形でこれを軽減し更には負担による傷害を回復させる必要がある。【０００３】  また人類が二足歩行するために腰部に負担が掛かるのであるが腰部への負担は必ずしも人が二足で立っている時だけに負担が掛かるの身ならず横臥状態で休眠している場合でも横臥の姿勢などにより腰部への負担の回復が図れるのと反対に却って負担が増加したり或いは別の負担が掛かったりすることになる。【０００４】
0003154029.tif 000003
有機的な構造の体の持ち主であることに起因する。
このため、少なくとも横臥状態での休眠時にはできるだけ腰部への負担を減らし、負担が掛かったことによる傷害などの回復を図るための有形無形の努力がなされて来、多くの用具、器具が開発されてきた。【０００５】
【特許文献１】特開２００８−６１４５号公報
【特許文献２】実用登録新案第３０２７６８６号公報
【０００６】  特許文献１は腰部をバランスよく下支えることができ、全体構造も簡素化した腰用空気枕を開示している。【０００７】  特許文献２はポリウレタンフォーム材と高密度低反発弾性ポリウレタンフォームより形成し、その上面に通気性立体編物を重ね合わせた腰用の枕であって身体との間に通気空隙を形成し、腰枕に対する身体の重さ分散が図れる腰枕をを開示している。【０００８】
【考案の開示】
【考案が解決しようとする課題】
【０００９】  しかし、これ等の種々の開発努力によって提供されてきた色々な技術改良にも拘わらずこれまでに必ずしもオールマイティーで満足のいくものは提供されてきてはいない。
それは開発、提供の努力が不足していて開発姿勢に問題があるというようなことではなくて、対象が人間の生体という最も定まりのない、把握し、解明しにくいものを対象としていることにあると言える。従って本願の考案が解決しようとする課題も過去に開発された技術の問題点の改良というよりは全く新規な技術開発を目的とすると捉えることが相応しい。
【課題を解決するための手段】
【００１０】  本考案によれば、平らな横長の底面の平面形状が、上辺が中央が尖った左右対称の山形であり、下辺が横方向にほぼ４等分した間隔で凸凹凸凹凸と鋭角に切り込みの入る鋸歯状に形成され、その底面より上側に山形に隆起してその稜線は下辺の切り込みの凹み部に対応した位置で曲折して左右の稜線は中央部の稜線に対してそれぞれ下方向に鈍角に下がった台形状であり、全体が低反発弾性フォームで形成されている人の腰部当用枕。
成されている人の腰部当用枕が提供される。【００１１】  横方向の長さが上下方向の中央部の幅の１．５から２．５倍であり、中央部の厚さが上下方向の中央部の長さの３５％から４５％であることが好ましい。
上下方向の中央部の幅は２５ｃｍから４０ｃｍであることが好ましい。
人の腰部当用枕の規模は人の体格の違いによってある程度の範囲で変化させることが出来るが、余り大きすぎても小さすぎても効果的な作用がえられないので上記程度の規模が好ましい。【００１２】  人の腰部当用枕の左右辺は左右長手方向の軸線に対してほぼ垂直で左右ほぼ平行としてよいが左右端部の形状は枕の機能に寄与するものではないので左右辺の形状については特に特定する必要はない。
【考案の効果】
【００１３】  本考案の腰用枕によれば、人の就寝時に腰部に当てることにより、多くの就寝体位において、すなわち寝返りなどによって就寝体位が変わっても、背骨を最も自然に近い形状、即ち立っている姿勢と同じ或いはそれに出来るだけ近い形状に維持することが出来、それによって充分な睡眠をとることが出来ると同時によりよく起きていたときの肉体的ストレスを取り除くことが出来る。
【考案を実施するための最良の形態】
【実施例】
【００１４】  図は本考案の腰部当用枕を示し、図１は平面図、図２は右側面図、図３は底面図、図４は図１のＩＶ−ＩＶ線断面図、図５は図１のＶ−Ｖ線断面面である。
この腰部当用枕は全体を低反発ポリウレタンフォームのモールド成形品である。従って均質な素材の一体構成であるが、底部とそれ以外の部分とを異なる素材或いは部材によって構成するなど全体を合成体として同一形状に構成することも出来る。ただし、少なくとも底部以外は低反発ポリウレタンフォームであることが必要である。【００１５】  本考案における低反発弾性フォームは規格的に低反発弾性フォームと称されるものであればよいが、より好ましくは中程度の物性、密度６０前後、硬さ３０前後、反発弾性３前後が好適である。【００１６】  図において１は腰部当用枕本体である。
この実施例の腰部当用枕においては腰部当用枕の上面の稜線２が全体として一直線上ではなく下辺の凹み部ノ先端３に対応した位置で左右両側２’が外向きに鈍角に折れ曲がった台形状である。これは腰部当用枕の横方向の平面形状に沿わせたものであり、人が寝返りを打ったときに人の腰部の体型に沿うことが出来るようにしたものである。【００１７】  下辺のノコギリ歯状の凹み部３は左右の全長のほぼ４等分の位置にある。この位置の誤差も左右両方向に約１０％程度であることが好ましく、それより誤差が大きいと寝返りによる体位の状態に適切に対応して自然に近い背骨の状態が得られない形状になり好ましくない。
下側の中央部分の突出部４の先端５は左右両側辺の下端位置６よりやや内寄りであるが、これ等の下端位置５、６の位置はほぼ左右同一線上にあってもよい。ただ中央部分の突出部４の先端５の位置が左右の突起６の位置よりも外側に出ていないほうがよい。そのような形状では矢張り就寝時の背骨の自然の状態を維持することを出来難くするからである。【００１８】  底面７はほぼ平面状である。多少の凹凸或いは細かい凹凸はあってもよいが、底面は腰部当用枕を安定的に位置させてその上側の輪郭形状によって適切安定的に就寝時の人体を受け止めるものであるからその作用を妨げる或いは充分に発揮させなくするような形状は好ましくない。
稜線２、２’で分けられた２つの平面部は底面と同様ほぼ平であることが好ましい。必要以上の凹凸があると人の体に悪影響があるからである。【００１９】  この腰部当用枕の規模は横方向の長さ約６４ｃｍ、左右両辺の前後方向の幅約２７ｃｍ、左右中央部分の前後方向の幅約６６ｃｍ、稜線位置の厚さ約８ｃｍである。本考案の腰部当用枕の規模はこの実施例の規模と全く同じである必要はないが、その誤差は±１０％程度であることが好ましい。特に稜線部分の暑さが余り厚くても余り薄くても背骨を自然に近い状態に維持する効果が充分に得られないので好ましくない。
【図面の簡単な説明】
【００２０】
【図１】  本考案の人の腰部当用枕の平面図である。
【図２】  本考案の人の腰部当用枕の右側面図である。
【図３】  本考案の人の腰部当用枕の底面図である。
【図４】  図１のＩＶ−ＩＶ線断面図である。
【図５】  図１のＶ−Ｖ線断面図である。
【符号の説明】
【００２１】  １  腰部当用枕本体
２、２’稜線
３  ノコギリ歯状の凹み部分
４  中央部の突出部
５  突出部４の先端
６  左右側辺の下端
７  底面
８、９  上部の平面部
【図１】
0003154029.tif 000004
【図２】
0003154029.tif 000005
【図３】
0003154029.tif 000006
【図４】
0003154029.tif 000007
【図５】
0003154029.tif 000008
【手続補正書】
【提出日】平成21年7月7日(2009.7.7)
【手続補正１】
【補正対象書類名】実用新案登録請求の範囲
【補正対象項目名】全文
【補正方法】変更
【補正の内容】
【実用新案登録請求の範囲】
【請求項１】
平らな横長の底面の平面形状が、上辺が中央が尖った左右対称の山形であり、下辺が横方向にほぼ４等分した間隔で凸凹凸凹凸と鋭角に切り込みの入る鋸歯状に形成され、その底面より上側に山形に隆起してその稜線は下辺の切り込みの凹み部に対応した位置で曲折して左右の稜線は中央部の稜線に対してそれぞれ下方向に鈍角に下がった台形状であり、全体が低反発弾性フォームで形成されている人の腰部当用枕。
【請求項２】
横方向の長さが上下方向の中央部の幅の１．５から２．５倍であり、中央部の厚さが上下方向の中央部の長さの３５％から４５％である請求項１の人の腰部当用枕。
【請求項３】
上下方向の中央部の幅が２５ｃｍから４０ｃｍである請求項１の人の腰部当用枕。